(57)【要約】【課題】専用の内圧調整用弾性体を必要とせず、防水機器の防水部分を構成する防水パッキンと内圧調整用弾性体とを一つの素材で形成する内圧調整構造を提供することにある。【解決手段】防水機器における内圧調整構造であって、通信機器１の内部にある防水ユニット２は、防水パッキン上３の嵌合溝と防水パッキン下４の嵌合リブが嵌合し、気密性を有する。ボタン５の変位が、防水パッキン上３に伝達されると、防水ユニット２の容積減少に伴い、内圧が増加する。防水パッキン下４に設けられている内圧調整部４０、４１は膨らんで変形し、内圧の増加を緩和する。【選択図】  図１
2016061360.tif 000002
【特許請求の範囲】
【請求項１】
液体の浸入を防ぐ第１及び第２の防水パッキンと、前記防水パッキンに封入される所定のスイッチユニットと、前記防水パッキンおよび前記スイッチユニットを収容する第１及び第２の筐体と、前記第１の防水パッキンの所定の部位に嵌合し前記スイッチユニットを押下するためのボタンと、から成る防水機器における内圧調整構造であって、
前記第１の防水パッキンは、前記スイッチユニットを押下する面と前記第１の筐体と前記ボタンと嵌合し、前記ボタンが押下された場合に、当該変位を前記スイッチユニットへ伝達し、
前記第２の防水パッキンは、前記スイッチユニットを保持すると共に、前記第２の筐体と嵌合し、前記ボタンの変位によって生じる前記防水パッキンの容積の減少に伴う内圧の増加を緩和するための内圧調整部を有し、
前記第２の筐体は、前記第２の防水パッキンと嵌合し、前記第２の防水パッキンにおける前記内圧の増加を緩和するための前記第２の防水パッキンの変位を吸収する空間を形成すると共に、前記空間に外部の気体または液体を通過させる１以上の通過孔を有することを特徴とする防水機器の内圧調整構造。
【発明の詳細な説明】
【技術分野】
【０００１】
本発明は、防水機器の内圧調整構造に関する。
【背景技術】
【０００２】
気密性を有する防水機器、例えば浴室に設置する防水パッキンで覆われたボタン等の操作部を有する防水機器において、操作部の変位または外気温度の変化、大気圧の変化によって当該防水機器の内圧と外気圧に差が発生し、防水機器のボタンを押下する際に大きな力を必要とする。また、ボタンを押下後、スムーズに元の位置に戻らない等の悪影響がある為、ユーザは違和感を感じる場合がある。
【０００３】
特許文献１には、防水機器の操作性に前記の様な悪影響を及ぼさないように、防水機器の防水ケースに穴を開け、弾性体で穴を塞ぐ様に設け、内圧と外気圧に差が生じた場合、弾性体の変形により内圧調整する内圧調整構造が記載されている。
【０００４】
しかしながら、特許文献１に記載された防水機器の内圧調整構造では、内圧調整構造を実現するのに内圧調整専用の弾性体を必要とする為、コストの面は不利、という問題がある。
【先行技術文献】
【特許文献】
【０００５】
【特許文献１】特開２０１３−５４３１０号公報
【発明の概要】
【発明が解決しようとする課題】
【０００６】
本発明の目的は、専用の内圧調整用弾性体を必要とせず、防水機器の防水部分を構成する防水パッキンと内圧調整用弾性体とを一つの素材で形成する内圧調整構造を提供することにある。
【課題を解決するための手段】
【０００７】
上記の課題を解決するために、本発明は、液体の浸入を防ぐ第１及び第２の防水パッキンと、前記防水パッキンに封入される所定のスイッチユニットと、前記防水パッキンおよび前記スイッチユニットを収容する第１及び第２の筐体と、前記第１の防水パッキンの所定の部位に嵌合し前記スイッチユニットを押下するためのボタンと、から成る防水機器における内圧調整構造であって、前記第１の防水パッキンは、前記スイッチユニットを押下する面と前記第１の筐体と前記ボタンと嵌合し、前記ボタンが押下された場合に、当該変位を前記スイッチユニットへ伝達し、前記第２の防水パッキンは、前記スイッチユニットを保持すると共に、前記第２の筐体と嵌合し、前記ボタンの変位によって生じる前記防水パッキンの容積の減少に伴う内圧の増加を緩和するための内圧調整部を有し、前記第２の筐体は、前記第２の防水パッキンと嵌合し、前記第２の防水パッキンにおける前記内圧の増加を緩和するための前記第２の防水パッキンの変位を吸収する空間を形成すると共に、前記空間に外部の気体または液体を通過させる１以上の通過孔を有することを特徴とする。
【発明の効果】
【０００８】
本発明によれば、防水パッキンに変形可能な部位を設けることで、防水機器の防水部分を構成する防水パッキンと内圧調整用弾性体を一つの素材で提供でき、部品コストを削減することができる。
【図面の簡単な説明】
【０００９】
【図１】本発明の実施の一形態に係る通信機器を示す斜視図
【図２】通信機器の防水ユニットを示す図
【図３】ボタン押下前の通信機器の断面図
【図４】ボタン押下後の通信機器の断面図
【発明を実施するための形態】
【００１０】
以下に、防水機器として通信機器を例に、図面を参照しながら、本発明の実施の一形態について説明する。
【００１１】
図１は、本発明の実施の一形態に係る通信機器１を示す斜視図である。図示するように通信機器１は、防水ユニット２と、ボタン５と、スイッチユニット６と、フロントケース７と、リアケース８と、から構成される。
【００１２】
通信機器１は、無線通信機能をもつ呼出しボタンユニットである。通信機器１は、自装置に搭載された呼出しボタンを押下されると、所定の宛先に呼出しボタンが押下されたことを通知する。
【００１３】
防水ユニット２は、上下の防水パッキンから構成され、外部からの液体がスイッチユニット６へ侵入するのを防ぐための防水ユニットである。
【００１４】
ボタン５は、ユーザによって押下されると、押下によって生じた変位をスイッチユニット６に伝達する部位である。
【００１５】
スイッチユニット６は、ボタン５が押下されたことを所定の宛先に通知する部位である。
【００１６】
フロントケース７とリアケース８は、スイッチユニット６と防水ユニット２を収容し、通信機器１の外形を構成する筐体である。フロントケース７は請求項における第１の筐体に相当する。リアケース８は請求項における第２の筐体に相当する。
【００１７】
また、図中のＡは後述する図３、図４の断面図のせん断位置を示す。
【００１８】
図２は、通信機器１の防水ユニット２を示す図である。図示するように、防水ユニット２は防水パッキン上３と、防水パッキン下４と、から構成される。
【００１９】
防水パッキン上３は、嵌合溝が設けられている。防水パッキン下４は、嵌合リブが設けられている。防水パッキン上３の嵌合溝と防水パッキン下４の嵌合リブが嵌合し、気密性を有する。
【００２０】
防水パッキン下４は人の指の力で容易に変形可能な柔らかい熱可塑性エラストマーで成形されている。
【００２１】
尚、防水パッキン下４は、人の指の力で容易に変形可能な素材であれば適用可能の為、熱可塑性エラストマーに限らず、例えばゴムやシリコン等を使っても良い。
【００２２】
防水パッキン上３は請求項における第１のパッキンに相当する。防水パッキン下４は請求項における第２のパッキンに相当する。
【００２３】
内圧調整部４０、４１は、ボタン５の変位が伝達されると、膨らんで変形し、内圧の増加を緩和する部位である。
【００２４】
尚、本実施例では、防水パッキン下４に設けられた内圧調整部４０、４１は２カ所にあるものとして説明するが、本願はこれに限定しない。内圧調整部４０、４１は１つであってもよいし、３つ以上であってもよい。数は問わない。
【００２５】
ボタン５の変位が、防水パッキン上３に伝達されると、防水ユニット２の容積減少に伴い、内圧が増加する。内圧調整部４０、４１は膨らんで変形し、内圧の増加を緩和する。
【００２６】
図３は、ボタン押下前の通信機器１の断面図である。
【００２７】
図示するように、防水パッキン下４には、スイッチユニット支点保持部４２、４３が、スイッチユニット６には、スイッチユニット支点６０、６１とスイッチユニット変位部６２が、リアケース８には、収容部８０と、通過孔８１、８２がそれぞれ設けられている。
【００２８】
スイッチユニット支点保持部４２、４３は、スイッチユニット６を保持する為の突起である。
【００２９】
スイッチユニット支点６０、６１は、ボタン５の変位がスイッチユニット６へ伝達され、スイッチユニット６のスイッチユニット変位部６２を下に動かす際、支点となる部位である。尚、スイッチユニット支点６０、６１は、前記スイッチユニット支点保持部４２、４３に置かれ、保持される。
【００３０】
スイッチユニット変位部６２は、ボタン５の変位がスイッチユニット６へ伝達される際、下に動く部位である。
【００３１】
収容部８０は、膨らんで変形した内圧調整部４０、４１を収容する空間である。
【００３２】
通過孔８１、８２は、内外部の空気を通過させる穴である。
【００３３】
図４は、ボタン押下後の通信機器１の断面図である。
【００３４】
ボタン５が押下された場合、ボタン５の変位が防水パッキン上３、スイッチユニット６に伝達されると、ボタン５、防水パッキン上３、スイッチ変位部６２は下へ動く。スイッチ変位部６２は下に動くことにより、図２に示す防水ユニット２の内部の容積減少に伴い、内圧が増加する。収容部８０の中で、内圧が増加し、内圧調整部４０、４１が膨らんで変形すると、通過孔８１、８２は、膨らんで押し出された空気を外に逃がす。これにより、通信機器１は内圧調整をスムーズに行えることを特徴とする。
【００３５】
以上、本発明の実施の一形態について説明した。
【００３６】
本発明によれば、通信機器１の内部にある防水ユニット２は、防水パッキン上３の嵌合溝と防水パッキン下４の嵌合リブが嵌合し、気密性を有する。ボタン５の変位が、防水パッキン上３に伝達されると、防水ユニット２の容積減少に伴い、内圧が増加する。防水パッキン下４に設けられている内圧調整部４０、４１は膨らんで変形し、内圧の増加を緩和する。
【００３７】
これにより、防水機器の防水部分を構成する防水パッキンと内圧調整用弾性体とを一つの素材で形成する内圧調整可能な構造を提供できる。
【００３８】
また、本発明によれば、防水ユニット２の内圧調整部４０、４１の寸法に応じて、様々なサイズのスイッチユニット６に対応できる。
【００３９】
なお、実施の一形態においては、防水機器として通信機器を例に説明したが、本発明の構造は、防水機器一般に適用可能である。また、外部の気体または液体を通過させる通過孔はリアケースの中央部上下に８１、８２を設けているが、設置個所については本発明の趣旨を阻害しないものであれば、これに限定されないものとする。
【符号の説明】
【００４０】
１…通信機器、２…防水ユニット、３…防水パッキン上、４…防水パッキン下、５…ボタン、６…スイッチユニット、７…フロントケース、８…リアケース、４０…内圧調整部、４１…内圧調整部、４２…スイッチユニット支点保持部、４３…スイッチユニット支点保持部、６０…スイッチユニット支点、６１…スイッチユニット支点、６２…スイッチユニット変位部、８０…収容部、８１…通過孔、８２…通過孔
【図１】
2016061360.tif 000003
【図２】
2016061360.tif 000004
【図３】
2016061360.tif 000005
【図４】
2016061360.tif 000006